(57)【要約】      （修正有）【課題】物品取り出し用の開口を十分に大きくしつつ、他の箱体を安定的に積み重ねることができる箱用シートを提供する。【解決手段】左右方向に交互に連接され、四角筒状に組み立てられる一対の長さ面パネル１、２及び一対の幅面パネル３、４と、一対の長さ面パネルの上縁から延出する一対の蓋外フラップ５、６と、一対の幅面パネルの上縁から延出する一対の蓋内フラップ７、８とを備え、箱型に組立可能な１枚の箱用シートであって、一方の長さ面パネルに、両端がこの長さ面パネルの上縁の両端に位置し、下方に凸な物品取り出し口形成用の第１破断容易線１４が形成され、他方の長さ面パネルの上縁から延出する他方の蓋外フラップ、及び一対の蓋内フラップにそれぞれ、幅方向に横断し、他方の蓋外フラップ及び一対の蓋内フラップを延出方向に分断する第２破断容易線５ａ、７ａ、８ａが形成される。【選択図】図１
0003219680.tif 000002
【実用新案登録請求の範囲】
【請求項１】
１枚のシートからなり、
左右方向に交互に連接され、四角筒状に組み立てられる一対の長さ面パネル及び一対の幅面パネルと、
上記一対の長さ面パネルの上縁から延出する一対の蓋外フラップと、
上記一対の幅面パネルの上縁から延出する一対の蓋内フラップと
を備え、箱型に組立可能な箱用シートであって、
一方の上記長さ面パネルに、両端がこの長さ面パネルの上縁の両端に位置し、下方に凸な物品取り出し口形成用の第１破断容易線が形成され、
他方の上記長さ面パネルの上縁から延出する他方の蓋外フラップ、及び上記一対の蓋内フラップにそれぞれ、幅方向に横断し、上記他方の蓋外フラップ及び一対の蓋内フラップを延出方向に分断する第２破断容易線が形成される箱用シート。
【請求項２】
上記第２破断容易線の破断によって上記他方の蓋外フラップ及び一対の蓋内フラップに形成される３つの残り片が、上記他方の長さ面パネル及び一対の幅面パネルに対して内側に垂直に折り曲げた状態で重なり合わない請求項１に記載の箱用シート。
【請求項３】
上記第２破断容易線が、その両端が上記他方の蓋外フラップの基端縁の両端及び上記一対の蓋内フラップの基端縁の両端に位置する円弧状である請求項２に記載の箱用シート。
【請求項４】
上記第２破断容易線が、上記他方の蓋外フラップ及び一対の蓋内フラップの内面側だけを切断したハーフカット線と、このハーフカット線上で間隔を空けて配設される複数の切断線とを含む請求項１、請求項２又は請求項３に記載の箱用シート。
【請求項５】
上記蓋外フラップの延出方向長さに対する上記第２破断容易線の延出方向長さの比が０．２以上０．５以下である請求項１から請求項４のいずれか１項に記載の箱用シート。
【考案の詳細な説明】
【技術分野】
【０００１】
本考案は、箱用シートに関する。
【背景技術】
【０００２】
物品の保管、運搬等にダンボールシート等から組み立てられる箱体が広く用いられている。中でも、左右方向に交互に連接される一対の長さ面パネル及び一対の幅面パネルを四角筒状に接続し、一対の幅面パネルの下縁から延出する一対の底内フラップ及び一対の長さ面パネルの下縁から延出する一対の底外フラップを内側に折り曲げて底部を形成し、一対の幅面パネルの上縁から延出する一対の蓋内フラップ及び一対の長さ面パネルの上縁から延出する一対の蓋外フラップを内側に折り曲げて蓋部を形成することで組み立てられるＡ式（いわゆるミカン箱タイプ）の箱体が最も多く利用されている。
【０００３】
この箱体には、物品の保管、運搬用に用いられた後に、物品陳列用の容器として用いられるものがある。物品陳列用の容器として使用可能な箱体は、通常、物品取り出し用の開口を形成可能に構成されている。
【０００４】
このような物品陳列用の容器として使用可能な箱体としては、例えば「包装箱」（特開２０１７−１３７１１７号公報参照）が発案されている。この公報に記載の包装箱は、前面（長さ面パネル）の一部分と、この前面の上縁から延出する上側外フラップ（蓋外フラップ）とを同時に除去可能に構成されている。また、この包装箱は、一対の上側内フラップ（蓋内フラップ）の上記上側外フラップと重なり合う部分を除去可能に構成されている。これにより、この包装箱は、物品取り出し用の開口を形成可能に構成されている。
【先行技術文献】
【特許文献】
【０００５】
【特許文献１】特開２０１７−１３７１１７号公報
【考案の概要】
【考案が解決しようとする課題】
【０００６】
しかしながら、上記公報に記載の包装箱は、一方の上側外フラップを除去する一方、他方の上側外フラップはそのまま残している。そのため、この包装箱は、物品取り出し用の開口を十分に大きくすることができない。また、上記公報に記載の包装箱は、背面の上縁から延出する他方の上側外フラップを封緘テープで一対の側面に固定しているので、一方の上側外フラップの除去領域に対して他方の上側外フラップが隆起しやすい。そのため、この包装箱は、他の包装箱を積み重ねた場合に、他の包装箱のバランスが不安定になりやすい。
【０００７】
本考案は、このような不都合に鑑みてなされたものであり、物品取り出し用の開口を十分に大きくしつつ、他の箱体を安定的に積み重ねることができる箱用シートを提供することを課題とする。
【課題を解決するための手段】
【０００８】
上記課題を解決するためになされた本考案に係る箱用シートは、１枚のシートからなり、左右方向に交互に連接され、四角筒状に組み立てられる一対の長さ面パネル及び一対の幅面パネルと、上記一対の長さ面パネルの上縁から延出する一対の蓋外フラップと、上記一対の幅面パネルの上縁から延出する一対の蓋内フラップとを備え、箱型に組立可能な箱用シートであって、一方の上記長さ面パネルに、両端がこの長さ面パネルの上縁の両端に位置し、下方に凸な物品取り出し口形成用の第１破断容易線が形成され、他方の上記長さ面パネルの上縁から延出する他方の蓋外フラップ、及び上記一対の蓋内フラップにそれぞれ、幅方向に横断し、上記他方の蓋外フラップ及び一対の蓋内フラップを延出方向に分断する第２破断容易線が形成される箱用シートである。
【０００９】
当該箱用シートは、一方の長さ面パネルに、両端がこの長さ面パネルの上縁の両端に位置し、下方に凸な物品取り出し口形成用の第１破断容易線が形成されるので、この第１破断容易線を破断することで、上記一方の長さ面パネルとこの長さ面パネルの上縁から延出する一方の蓋外フラップとを同時に除去することができる。また、当該箱用シートは、他方の蓋外フラップ及び一対の蓋内フラップにそれぞれ、幅方向に横断し、上記他方の蓋外フラップ及び一対の蓋内フラップを延出方向に分断する第２破断容易線が形成されているので、この第２破断容易線の破断によって物品取り出し用の開口を大きくすることができる。さらに、当該箱用シートは、上記第２破断容易線の破断によって上記他方の蓋外フラップ及び一対の蓋内フラップに、基端縁を軸として揺動可能な３つの残り片が形成される。そのため、当該箱用シートは、組立状態で他の箱体を積み重ねた場合に、シート材の復元力を用いてこれらの残り片によって他の箱体を適切に支持することができる。
【００１０】
上記第２破断容易線の破断によって上記他方の蓋外フラップ及び一対の蓋内フラップに形成される３つの残り片が、上記他方の長さ面パネル及び一対の幅面パネルに対して内側に垂直に折り曲げた状態で重なり合わないとよい。このように、上記第２破断容易線の破断によって上記他方の蓋外フラップ及び一対の蓋内フラップに形成される３つの残り片が組立状態で重なり合わないことによって、３つの残り片の重なり合いに起因する段差をなくし、他の箱体をより安定的に積み重ねることができる。
【００１１】
上記第２破断容易線が、その両端が上記他方の蓋外フラップの基端縁の両端及び上記一対の蓋内フラップの基端縁の両端に位置する円弧状であるとよい。このように、上記第２破断容易線が、その両端が上記他方の蓋外フラップの基端縁の両端及び上記一対の蓋内フラップの基端縁の両端に位置する円弧状であることによって、３つの残り片の重なり合いをなくし、他の包装箱を安定的に積み重ねやすい。また、この構成によると、製函機による製函作業時のトラブルを防止しやすい。
【００１２】
上記第２破断容易線が、上記他方の蓋外フラップ及び一対の蓋内フラップの内面側だけを切断したハーフカット線と、このハーフカット線上で間隔を空けて配設される複数の切断線とを含むとよい。このように、上記第２破断容易線が、上記他方の蓋外フラップ及び一対の蓋内フラップの内面側だけを切断したハーフカット線と、このハーフカット線上で間隔を空けて配設される複数の切断線とを含むことによって、保管、運搬時等に意図せず第２破断容易線が破断するのを防ぎつつ、物品取り出し用の開口を容易に形成することができる。
【００１３】
上記蓋外フラップの延出方向長さに対する上記第２破断容易線の延出方向長さの比としては０．２以上０．５以下が好ましい。このように、上記蓋外フラップの延出方向長さに対する上記第２破断容易線の延出方向長さの比が上記範囲内であることによって、物品取り出し用の開口を十分に大きくしつつ、３つの残り片によって他の箱体を適切に支持することができる。
【００１４】
なお、本考案において、「左右方向」とは、箱用シートを組み立ててなる箱体の想定される一般的な使用態様における水平方向を意味し、「上」及び「下」とは、想定される一般的な使用態様における上下を意味するが、上記箱体の使用時の向きを制限することを企図するものではない。また、「内面」とは、箱体組立時における内側の面をいう。
【考案の効果】
【００１５】
以上説明したように、本考案に係る箱用シートは、物品取り出し用の開口を十分に大きくしつつ、他の箱体を安定的に積み重ねることができる。
【図面の簡単な説明】
【００１６】
【図１】本考案の一実施形態に係る箱用シートを示す模式的平面図である。
【図２】図１の箱用シートを組み立ててなる箱体を示す模式的斜視図である。
【図３】図２の箱体の第１破断容易線及び第２破断容易線の破断後の状態を示す模式的斜視図である。
【図４】図３の箱体の模式的平面図である。
【考案を実施するための形態】
【００１７】
以下、適宜図面を参照しつつ、本考案の実施の形態を詳説する。
【００１８】
［箱用シート］
図１の箱用シートは、１枚のシートからなる。当該箱用シートは、左右方向に交互に連接され、四角筒状に組み立てられる一対の長さ面パネル（第１長さ面パネル１及び第２長さ面パネル２）並びに一対の幅面パネル（第１幅面パネル３及び第２幅面パネル４）と、第１長さ面パネル１の上縁から延出する第１蓋外フラップ５及び第２長さ面パネル２の上縁から延出する第２蓋外フラップ６と、第１幅面パネル３の上縁から延出する第１蓋内フラップ７及び第２幅面パネル４の上縁から延出する第２蓋内フラップ８とを備える。また、当該箱用シートは、第１長さ面パネル１の下縁から延出する第１底外フラップ９及び第２長さ面パネル２の下縁から延出する第２底外フラップ１０と、第１幅面パネル３の下縁から延出する第１底内フラップ１１及び第２幅面パネル４の下縁から延出する第２底内フラップ１２とを備える。第１長さ面パネル１、第１幅面パネル３、第２長さ面パネル２及び第２幅面パネル４は、この順で左右方向一方側から左右方向他方側に連接されている。また、当該箱用シートは、第１長さ面パネル１の第１幅面パネル３との連接側と反対側の側縁から延出し、第２幅面パネル４の内面に貼着される糊代部１３を備える。なお、図１において、太い実線はシートを切断して形成される切断線を示し、細い実線はシートの内面を筋押しして形成される罫線を示す。また、図１において、細い二点鎖線はシートの内面側だけを切断したハーフカット線を示す。
【００１９】
当該箱用シートは、箱型に組立可能に構成されており、具体的には図２のＡ式（ミカン箱タイプ）の箱体２１に組み立てられる。当該箱用シートを箱体２１に組み立てる手順について説明する。
【００２０】
まず、糊代部１３を第２幅面パネル４の内面に貼着し、一対の長さ面パネル１，２及び一対の幅面パネル３，４を四角筒状に組み立て、一対の底内フラップ１１，１２を内側に折り曲げ、さらに一対の底外フラップ９，１０を内側に折り曲げて先端縁同士を突き合わせることで底部を形成する。次に、一対の蓋内フラップ７，８を内側に折り曲げ、さらに一対の蓋外フラップ５，６を内側に折り曲げて先端縁同士を突き合わせることで蓋部を形成する。なお、一対の蓋外フラップ５，６の突き合わせ部及び一対の底外フラップ９，１０の突き合わせ部には、例えば封函テープＸが貼着される。また、第２幅面パネル４への糊代部１３の貼着は、例えば接着剤、ステープラー等を用いて行うことができる。
【００２１】
当該箱用シートに用いられるシートとしては、当該箱用シートを組み立ててなる箱体２１の形状を維持できる程度の強度を有する限り特に限定されるものではなく、例えば段ボールシート、ボール紙等の紙製シート、合成樹脂製シート、紙製シートと合成樹脂製シートとの積層シート等が挙げられる。中でも、加工性、衝撃吸収性、取扱性、リサイクル性、経済性等の点から紙製シートが好ましく、座屈強度を高めやすい段ボールシートが特に好ましい。当該箱用シートを形成する段ボールとしては、原紙を波形状に形成した中芯をライナーに貼り合わせたものであって、例えば波形状に形成された中芯を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。これらの中でも、加工性、経済性、耐久性等の点から両面段ボールシートが好ましい。
【００２２】
一対の長さ面パネル１，２は矩形状かつ略同一形状に形成されている。一対の幅面パネル３，４は矩形状かつ略同一形状に形成されている。一対の長さ面パネル１，２の左右方向長さは、一対の幅面パネル３，４の左右方向長さよりも大きい。一対の長さ面パネル１，２及び一対の幅面パネル３，４の上下方向長さは略等しい。
【００２３】
一対の長さ面パネル１，２の左右方向長さとしては、箱体２１内に収容する物品の大きさ等に基づいて適宜設定可能であるが、例えば１５ｃｍ以上５０ｃｍとすることができる。一対の幅面パネル３，４の左右方向長さとしては、箱体２１内に収容する物品の大きさ等に基づいて適宜設定可能であるが、例えば１０ｃｍ以上４０ｃｍ以下とすることができる。一対の長さ面パネル１，２及び一対の幅面パネル３，４の上下方向長さとしては、箱体２１内に収容する物品の大きさ等に基づいて適宜設定可能であるが、例えば１０ｃｍ以上３０ｃｍ以下とすることができる。
【００２４】
第２長さ面パネル２には、両端が第２長さ面パネル２の上縁（第２長さ面パネル２と第２蓋外フラップ６との境界線）の両端に位置し、下方に凸な物品取り出し口形成用の第１破断容易線１４が形成されている。本実施形態において、第１破断容易線１４は、間隔を空けて配設される複数の切断線によって形成されるミシン目である。
【００２５】
第１破断容易線１４は、第２長さ面パネル２の上縁の両端から左右方向内側に延びる一対の直線部１４ａと、一対の直線部１４ａの左右方向内側の端部から連続し、下方に凸な開口形成部１４ｂとを有する。開口形成部１４ｂは、略Ｕ字状に形成されており、破断によって第２長さ面パネル２に物品取り出し口を形成する。
【００２６】
上述のように、第１破断容易線１４は、両端が第２長さ面パネル２の上縁の両端に位置している。これにより、図３に示すように、当該箱用シートは、第１破断容易線１４の破断によって、第２長さ面パネル２における第１破断容易線１４と第２長さ面パネル２の上縁とによって囲まれる部分と、この第２長さ面パネル２の上縁から延出する第２蓋外フラップ６とを同時に除去することができる。
【００２７】
当該箱用シートは、第１破断容易線１４の破断によって第２長さ面パネル２に比較的大きな物品取り出し口を形成できるよう構成されることが好ましい。第２長さ面パネル２の上縁の左右方向長さに対する直線部１４ａの長さの比の下限としては、０．０５が好ましく、０．０７がより好ましい。一方、上記比の上限としては、０．２０が好ましく、０．１５がより好ましい。上記比が上記下限に満たないと、直線部１４ａの破断後に残る第２長さ面パネル２の上縁の長さが不十分となり、箱体２１に他の箱体等を積み重ねた際に、他の箱体等を安定的に支持できないおそれがある。逆に、上記比が上記上限を超えると、第２長さ面パネル２に十分に大きな物品取り出し口を形成できないおそれがある。
【００２８】
また、第２長さ面パネル２には、第１破断容易線１４の破断を開始するための破断開始部１５が形成されている。破断開始部１５は、一端が開口形成部１４ｂに接続される平行な一対の折り曲げ片形成用破断容易線１５ａと、一対の折り曲げ片形成用破断容易線１５ａの他端同士を接続する折り曲げ容易線１５ｂとを有する。当該箱用シートは、一対の折り曲げ片形成用破断容易線１５ａを破断し、第２長さ面パネル２の一対の折り曲げ片形成用破断容易線１５ａ間の領域を折り曲げ容易線１５ｂで折り曲げ、この折り曲げによって形成される空間に手指を入れて第１破断容易線１４と第２長さ面パネル２の上縁とによって囲まれる領域を引き出すことで、第１破断容易線１４を容易に破断することができる。
【００２９】
一対の蓋外フラップ５，６は矩形状かつ略同一形状に形成されている。一対の蓋外フラップ５，６の幅は、一対の長さ面パネル１，２の左右方向長さと略等しい。一対の蓋内フラップ７，８は矩形状かつ略同一形状に形成されている。一対の蓋内フラップ７，８の幅は、一対の幅面パネル３，４の左右方向長さと略等しい。一対の蓋外フラップ５，６及び一対の蓋内フラップ７，８の延出方向長さは、一対の幅面パネル３，４の左右方向長さの略１／２である。なお、一対の底外フラップ９，１０の外形は、一対の蓋外フラップ５，６の外形と略等しい。また、一対の底内フラップ１１，１２の外形は、一対の蓋内フラップ７，８の外形と略等しい。
【００３０】
上述のように、第２長さ面パネル２の上縁から延出する第２蓋外フラップ６は、箱体２１において、第１破断容易線１４の破断によって第２長さ面パネル２の一部分と共に除去される。一方、第１長さ面パネル１の上縁から延出する第１蓋外フラップ５及び一対の蓋内フラップ７，８にはそれぞれ、幅方向に横断し、第１蓋外フラップ５及び一対の蓋内フラップ７，８を延出方向に分断する第２破断容易線５ａ，７ａ，８ａが形成されている。これにより、図３に示すように、第１蓋外フラップ５は、第２破断容易線５ａの破断によって第１長さ面パネル１の上縁から延出する残り片５ａと切断片（不図示）とに分断され、第１蓋内フラップ７は、第２破断容易線７ａの破断によって第１幅面パネル３の上縁から延出する残り片７ｂと切断片（不図示）とに分断され、第２蓋内フラップ８は、第２破断容易線８ａの破断によって第２幅面パネル４の上縁から延出する残り片８ｂと切断片（不図示）とに分断される。その結果、箱体２１の蓋部には、第２蓋外フラップ６及び３つの切断片の除去によって開口が形成され、箱体２１には、この開口と第２長さ面パネル２に形成される物品取り出し口とを合わせた物品取り出し用の開口Ｐが形成される。
【００３１】
図４に示すように、第２破断容易線５ａ，７ａ，８ａの破断によって第１蓋外フラップ５及び一対の蓋内フラップ７，８に形成される３つの残り片５ｂ，７ｂ，８ｂは、第１長さ面パネル１及び一対の幅面パネル３，４に対して内側（箱体２１の内面側）に垂直に折り曲げた状態で重なり合わないことが好ましい。当該箱用シートは、３つの残り片５ｂ，７ｂ，８ｂが重なり合わないことによって、３つの残り片５ｂ，７ｂ，８ｂの重なり合いに起因する段差をなくし、他の箱体等をより安定的に積み重ねることができる。
【００３２】
第２破断容易線５ａ，７ａ，８ａは、その両端が第１蓋外フラップ５の基端縁の両端及び一対の蓋内フラップ７，８の基端縁の両端に位置する円弧状であることが好ましい。これにより、当該箱用シートは、３つの残り片５ｂ，７ｂ，８ｂの重なり合いをなくし、他の箱体等を安定的に積み重ねやすい。また、この構成によると、製函機による製函作業時のトラブルを防止しやすい。
【００３３】
第２破断容易線５ａ，７ａ，８ａは、第１蓋外フラップ５及び一対の蓋内フラップ７，８の内面側だけを切断したハーフカット線と、このハーフカット線上で間隔を空けて配設される複数の切断線とを含むことが好ましい。当該箱用シートは、第２破断容易線５ａ，７ａ，８ａが第１蓋外フラップ５及び一対の蓋内フラップ７，８の内面側だけを切断したハーフカット線を含むことで、箱体２１の外面に切込みが形成されないので、保管、運搬時等に意図せず第２破断容易線５ａ，７ａ，８ａが破断することを防止することができる。また、当該箱用シートは、第２破断容易線５ａ，７ａ，８ａが、上記ハーフカット線及び複数の切断線を含むことで、例えば箱体２１の蓋部を開放した状態で第２破断容易線５ａ，７ａ，８ａを容易かつ確実に破断することができ、これにより物品取り出し用の開口Ｐを容易に形成することができる。
【００３４】
３つの残り片５ｂ，７ｂ，８ｂの延出方向長さＬ１（延出方向の最大長さ）は等しいことが好ましい。当該箱用シートは、３つの残り片５ｂ，７ｂ，８ｂの延出方向長さＬ１が等しいことで、物品取り出し用の開口Ｐを大きくしつつ、３つの残り片５ｂ，７ｂ，８ｂの反発力を同程度に制御して他の箱体等を安定的に支持しやすい。
【００３５】
蓋外フラップ５，６の延出方向長さＬ２に対する第２破断容易線５ａ，７ａ，８ａの延出方向長さ（つまり、３つの残り片５ｂ，７ｂ，８ｂの延出方向長さＬ１）の比（Ｌ１／Ｌ２）の下限としては、０．２が好ましく、０．３がより好ましい。一方、上記比の上限としては、０．５が好ましく、０．４がより好ましい。上記比が上記下限に満たないと、３つの残り片５ｂ，７ｂ，８ｂと他の箱体等との当接面積が不十分となり、３つの残り片５ｂ，７ｂ，８ｂによって、他の箱体等を安定的に支持することができないおそれがある。逆に、上記比が上記上限を超えると、物品取り出し用の開口Ｐを十分に大きくすることができないおそれがある。
【００３６】
＜利点＞
当該箱用シートは、第２長さ面パネル２に、両端が第２長さ面パネル２の上縁の両端に位置し、下方に凸な物品取り出し口形成用の第１破断容易線１４が形成されるので、この第１破断容易線１４を破断することで、第２長さ面パネル２とこの第２長さ面パネル２の上縁から延出する第２蓋外フラップ６とを同時に除去することができる。また、当該箱用シートは、第１蓋外フラップ５及び一対の蓋内フラップ７，８にそれぞれ、幅方向に横断し、第１蓋外フラップ５及び一対の蓋内フラップ７，８を延出方向に分断する第２破断容易線５ａ，７ａ，８ａが形成されているので、これらの第２破断容易線５ａ，７ａ，８ａの破断によって物品取り出し用の開口Ｐを大きくすることができる。さらに、当該箱用シートは、第２破断容易線５ａ，７ａ，８ａの破断によって第１蓋外フラップ５及び一対の蓋内フラップ７，８に、基端縁を軸として揺動可能な３つの残り片５ｂ，７ｂ，８ｂが形成される。そのため、当該箱用シートは、組立状態で他の箱体を積み重ねた場合に、シート材の復元力を用いてこれらの残り片５ｂ，７ｂ，８ｂによって他の箱体を適切に支持することができる。
【００３７】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００３８】
例えば当該箱用シートは、第１長さ面パネルに上述の第１破断容易線が形成され、第２蓋外フラップ及び一対の蓋内フラップに上述の第２破断容易線が形成されていてもよい。
【００３９】
上記第１破断容易線の具体的形状は上記実施形態の形状に限定されるものではない。例えば上記第１破断容易線は上述の一対の直線部を有していなくてもよい。また、上記開口形成部は、下方に凸である限り、必ずしも略Ｕ字状でなくてもよい。
【００４０】
上述のように、第２破断容易線の破断によって形成される３つの残り片は、箱体の組立状態で重なり合わないことが好ましい。しかしながら、当該箱用シートを組み立ててなる箱体に積み上げる他の箱体等の安定性が損なわれない場合であれば、３つの残り片が箱体の組立状態で重なり合う構成を採用することも可能である。
【００４１】
上記第２破断容易線の具体的形状としては、上述の円弧状に限定されるものではなく、例えばＵ字状、Ｖ字状等とすることも可能である。
【００４２】
また、上記第２破断容易線は、必ずしもハーフカット線と複数の切断線とを含んでいなくてもよく、例えば間隔を空けて配設される複数の切断線のみから構成されてもよい。
【００４３】
当該箱用シートは、箱体の底部を形成するための具体的な構成は上記実施形態の構成に限定されるものではない。例えば当該箱用シートは、一方の長さ面パネルの下縁から延出する１つの底フラップによって底部が形成されてもよい。
【産業上の利用可能性】
【００４４】
以上のように、本考案の箱用シートは、物品取り出し用の開口を十分に大きくしつつ、他の箱体を安定的に積み重ねることができるので、物品陳列用に適している。
【符号の説明】
【００４５】
１  第１長さ面パネル
２  第２長さ面パネル
３  第１幅面パネル
４  第２幅面パネル
５  第１蓋外フラップ
５ａ  第２破断容易線
５ｂ  残り片
６  第２蓋外フラップ
７  第１蓋内フラップ
７ａ  第２破断容易線
７ｂ  残り片
８  第２蓋内フラップ
８ａ  第２破断容易線
８ｂ  残り片
９  第１底外フラップ
１０  第２底外フラップ
１１  第１底内フラップ
１２  第２底内フラップ
１３  糊代部
１４  第１破断容易線
１４ａ  直線部
１４ｂ  開口形成部
１５  破断開始部
１５ａ  折り曲げ片形成用破断容易線
１５ｂ  折り曲げ容易線
２１  箱体
Ｘ  封函テープ
Ｐ  物品取り出し用の開口
【図１】
0003219680.tif 000003
【図２】
0003219680.tif 000004
【図３】
0003219680.tif 000005
【図４】
0003219680.tif 000006